(57)【要約】【課題】設備化の費用を縮減し、検査結果の偏りがなく、円面状の浮動動作を確認できるような、簡易な機構を有するコネクタ検査器具を提供する。【解決手段】ユニットとユニット収容棚とをプラグイン接続するコネクタにおいて、ユニットに用いられるコネクタ５が浮動板１０を介して取付けられ、浮動板の浮動量を検査するコネクタ検査器具であって、回転させるための円柱状のつまみ５０ａと、つまみの円柱断面上に形成され、つまみの軸芯に対して偏心軸芯を有する円柱状の偏心カム５０ｂと、偏心カムの円柱断面上に形成され、つまみの軸芯と同軸芯である円柱状の軸５０ｃとを備え、偏心カムは、浮動板に設けられた偏心カム挿入穴１１に挿入され、軸は、ユニットの背面板に設けられ、軸の軸芯と同軸芯を有する軸挿入穴２５に挿入され、つまみが回転ｋされることによって浮動板の浮動量検査が行える構成とした。【選択図】図１
2009283202.tif 000002
【特許請求の範囲】
【請求項１】
ユニットとユニット収容棚とをプラグイン接続するコネクタにおいて、前記ユニットに用いられる前記コネクタが浮動板を介して取付けられ、前記浮動板の機能を検査するコネクタ検査器具であって、  
回転させるための円柱状のつまみと、
前記つまみの円柱断面上に形成され、該つまみの軸芯に対して偏心軸芯を有する円柱状の偏心カムと、
前記偏心カムの円柱断面上に形成され、前記つまみの軸芯と同軸芯である円柱状の軸とを備え、
前記偏心カムは、前記浮動板に設けられた偏心カム挿入穴に挿入され、
前記軸は、前記ユニットの背面板に設けられ、前記軸の軸芯と同軸芯を有する軸挿入穴に挿入され、
前記つまみが回転されることによって前記浮動板の機能検査が行える構成としたコネクタ検査器具。
【発明の詳細な説明】
【技術分野】
【０００１】
本発明は、コネクタの検査器具に関し、特にコネクタの軸の芯合わせ検査用に供して好適なコネクタ検査器具に関する。
【背景技術】
【０００２】
従来、無線機等の筐体の棚板に実装するユニットは、図９に示すように、ユニット２０の取り外しが容易なプラグイン接続構造となっている。ユニット収容棚３０には、複数のユニット２０が収納できる。各ユニット２０とユニット収容棚３０との間の電気的接続は、コネクタの嵌合によって行なわれる。嵌合が正しく行なわれないと、コネクタの接続不良となる。スムーズで正確な嵌合を行なうために、どちらか一方のコネクタの取付構造に浮動機構を形成している。これによって、各ユニット２０に取付けられたコネクタとユニット収容棚３０に取付けられたコネクタとの間の嵌合ずれを吸収するようにしている。
【０００３】
図１０（イ）に示すように、ユニット２０は、ユニット収容棚３０への収納に際し、ユニット２０の上に備えたレール２４（同様のレールが下にも備えられている。）がユニット収容棚３０に備えた上下のレールガイド３４に導かれて後進する。
【０００４】
図１０（ロ）に示すように、ユニット収容棚３０の棚板コネクタ取付板３１に有するガイドピン３２がユニット２０の浮動板１のガイドピン受け穴６に挿入されることにより軸芯が一致し、図１０（ハ）に示すように、ユニット２０のユニット背面板２１が、ユニット収容棚３０の棚板コネクタ取付板３１に突き当たることによりユニット側コネクタ５と棚板側コネクタ３３が正しく嵌合し、電気的な接続が可能となる。
【０００５】
このとき浮動機構を備えた浮動板１の作動量（移動量）が不十分または、偏りが生じていると、ガイドピン３２と浮動板ガイドピン受け穴６とが位置ずれして嵌合しない、または、無理に押し込んでコネクタ部品などを破壊することになる。
【０００６】
そこで、ユニットは、組立てた後、この浮動機構が所定の作動範囲であることを検査する必要があり、そのために、従来、図１１に示すようなコネクタ検査装置６０を設備化していた。
【０００７】
このコネクタ検査装置６０にユニット２０を挿入して、ユニット２０の浮動板１の作動量検査が行なわれる。図１１（イ）、（ハ）に示すように、ユニット２０は、その挿入時に、治具レールガイド６１ａおよび治具ガイドピン６２ｂによってガイドされ、コネクタ６２ａと嵌合する。
【０００８】
そこで、図１１（ロ）に示すように、２つの浮動量測定器６３（例えば、マイクロメータ）のプローブに接触するスライダーブロック６２を左右に動かすことによって、ユニット２０に備えた浮動板１の移動量（以下、浮動量という。）として左右方向に中心から±値として計測され、所定の浮動量であるか判定する。浮動量測定器６３の取付方向を上下にすれば、浮動板１の上下方向の浮動量を計測できる。
【０００９】
スライダーブロック６２は、手または圧縮空気の作動機構での作動とする。
【００１０】
ユニット収容棚に収容される複数のユニットは、ユニットの外形または、コネクタ形状が異なる場合がある。この場合、異なる外形または、コネクタ形状のユニット毎にコネクタ検査装置６０を設備化することは、多額の費用を必要とし、あるいは、数値計測の際、測定者の技量による“ばらつき”も生じることとなる。
【００１１】
また浮動板１は、円面状の任意の位置に浮動動作するが、コネクタ検査装置６０での検査では、左右あるいは、上下方向の限られた検査範囲であった。
【００１２】
本発明の先行技術として、嵌合される一方のコネクタが取付けられたフローティングプレート（浮動板）の変位によって、芯合わせが行なわれる提案がある。（例えば、特許文献１  参照）
【特許文献１】特開２００７−２８０８３９号公報（図１）
【発明の開示】
【発明が解決しようとする課題】
【００１３】
図１１に示すような従来技術を用いたコネクタ検査装置６０では、設備化のために、多額の費用を必要とし、実測に際し、測定者の技量による“ばらつき”も生じる。また、左右あるいは上下方向の限られた検査範囲であった。
【００１４】
本発明の目的は、上記従来技術の問題点を解決し、設備化の費用を縮減し、検査結果の偏りがなく、円面状の浮動動作を確認できるような、簡易な機構を有するコネクタ検査器具を提供することにある。
【課題を解決するための手段】
【００１５】
この目的を達成するために、本発明のコネクタ検査器具は、ユニットとユニット収容棚とをプラグイン接続するコネクタにおいて、前記ユニットに用いられる前記コネクタが浮動板を介して取付けられ、前記浮動板の機能を検査するコネクタ検査器具であって、回転させるための円柱状のつまみと、前記つまみの円柱断面上に形成され、該つまみの軸芯に対して偏心軸芯を有する円柱状の偏心カムと、前記偏心カムの円柱断面上に形成され、前記つまみの軸芯と同軸芯である円柱状の軸とを備え、前記偏心カムは、前記浮動板に設けられた偏心カム挿入穴に挿入され、前記軸は、前記ユニットの背面板に設けられ、前記軸の軸芯と同軸芯を有する軸挿入穴に挿入され、前記つまみが回転されることによって前記浮動板の機能検査が行える構成とした。
【発明の効果】
【００１６】
本発明によれば、設備化のために要した従来の費用に比べ、十分の一以下となり、実測に際し、測定の偏りが減少し、測定精度が均一となり、円面状に浮動動作を確認できるようになり検査範囲が広くなり、多くのユニットの検査を極めて短時間に行えるようになり、製造コスト、メンテナンスコストの削減が図られる。
【発明を実施するための最良の形態】
【００１７】
以下に、本発明の実施形態とする各図を示し、コネクタ検査器具の説明を行う。
【００１８】
先ず、図８に、ユニット側コネクタ５の浮動構造の斜視図を示し、浮動状態を形成する機構について、その実施形態を説明する。
【００１９】
浮動機構の構造の要点は、浮動ブッシュ２とブッシュ穴４の間に直径差を設け、その差分距離だけ嵌合しようとする一方のコネクタが浮動するようにしたことである。
【００２０】
即ち、この浮動機構は、浮動ブッシュ２の浮動板側軸径ｂ≪ブッシュ穴径ａ、浮動ブッシュ２の浮動板側軸高ｄ＞浮動板板厚ｃ、とするそれぞれの寸法の大小関係を保ち、ブッシュ穴径ａおよび、浮動ブッシュ２の浮動板側軸高ｄのそれぞれに遊びを設けてある。また、ユニット側コネクタ５は、ネジで浮動板１に固定される。
【００２１】
なお、浮動ブッシュ２の棚板側軸径ｅ＞ブッシュ穴径ａであることは云うまでもない。
【００２２】
浮動ブッシュ２は、浮動ブッシュ取付けネジ３によってユニット背面板２１のネジ穴（タップ）へ固定（締付）取付けされる。
【００２３】
このようにして、ユニット側コネクタ５は浮動板１に固着とし、ユニット側コネクタ固着の浮動板１はユニット背面板２１に対し浮動取付け機構となる。
【００２４】
棚板コネクタ取付板３１に取付けられたガイドピン３２（例示では上下に有する。）は、ユニット背面板２１に形成された浮動板ガイドピン受け穴６へ挿入される。ガイドピン３２の挿入過程において次第に浮動板ガイドピン受け穴６の軸芯が一致するように、浮動板ガイドピン受け穴６の内壁がテーパー状に形成されている。
【００２５】
更に、ガイドピン３２の先端はユニット背面板のガイドピン貫通穴２３に挿入される。このユニット背面板ガイドピン貫通穴２３はガイドピン３２が遊貫する為の穴である。
【００２６】
浮動板１のコネクタ抜き穴７（ケーブル貫通穴）は、コネクタが内接するように整合させた穴であり、ユニット背面板のコネクタ抜き穴２２（ケーブル貫通穴）は、コネクタ内接に対し遊貫する穴とする。
【００２７】
ガイドピン３２および棚板側コネクタ３３は、棚板コネクタ取付板３１に固定取付けである。
【００２８】
以上の機構によって、ユニット背面板２１には、ユニット背面板２１に対して浮動状態を形成している浮動板１が取付けられ、浮動板１には、ユニット側コネクタ５が固定取付されている。
【００２９】
棚板コネクタ取付板３１に取付けられたガイドピン３２が浮動板１の浮動板ガイドピン受け穴６の軸芯に誘導されて浮動板１が位置決めされる。
【００３０】
そこで、棚板側コネクタ３３とユニット側コネクタ５とが所定の嵌合を完了し、電気的接続が可能となる。
【００３１】
図３は、本発明の実施形態とするユニット２０の背面斜視図（イ）および背面図（ロ）である。
【００３２】
ユニット２０の上下に、ユニット収容棚３０への収納をスムーズに行えるようにレール２４が装着されている。
【００３３】
ユニット背面板２１（Ａ）には、これに対して浮動状態を形成している浮動板１０（Ａ）が取付けられ、更に、浮動板１０（Ａ）には、ユニット側コネクタ５が固定取付されている。
【００３４】
また、浮動板１０（Ａ）には、ガイドピンを受ける浮動板ガイドピン受け穴６および、本発明のコネクタ検査器具の偏心カムを受ける偏心カム挿入穴（浮動板穴）１１が、ユニット背面板２１（Ａ）には、コネクタ検査器具の軸を受ける軸挿入穴（シャーシ穴）２５が、それぞれに形成されている。
【００３５】
なお、偏心カム挿入穴１１と軸挿入穴２５とは同軸芯位置が得られるように形成されている。
【００３６】
本発明のコネクタ検査器具の実施形態とする第１の実施例として、図１に、コネクタ検査器具の使用動作状態を表す斜視図および、図２に、コネクタ検査器具５０（Ａ）の構成を表す斜視図を示し、説明を行う。
【００３７】
先ず、図２で示されるコネクタ検査器具５０（Ａ）は、手動回転のための円柱状のつまみ５０ａと、つまみ５０ａの円柱輪切り一方の断面上に、つまみ５０ａと同体で形成され、つまみ５０ａの円柱軸芯に対して、任意の偏心軸芯である偏心カム軸芯ａａを有する小円柱状の偏心カム５０ｂと、更に、偏心カム５０ｂの円柱輪切り断面上に、つまみ５０ａと同体で形成され、つまみ５０ａの円柱軸芯に対して、同軸芯である軸芯ｂｂを有する軸５０ｃとから形成されている。
【００３８】
以下に、図１を参照して、前記コネクタ検査器具５０（Ａ）の使用動作状態を説明する。
【００３９】
ユニット側コネクタ５が浮動板１０（Ａ）に固定取付され、浮動板１０（Ａ）は、浮動ブッシュ２および、浮動ブッシュ取付けネジ３を介して、ユニット背面板２１（Ａ）に対して浮動取付されている。  
浮動板ガイドピン受け穴６は、内接面がテーパー状であるので、嵌合動作時にガイドピン３２に軸芯を合わせるように誘導されてユニット側コネクタ５が移動して、位置決めされ、コネクタ嵌合が完了するガイドピン挿入穴である。
【００４０】
次に、コネクタ検査器具５０（Ａ）の使用動作の説明に入る。
【００４１】
コネクタ検査器具５０（Ａ）は、偏心カム挿入穴１１および、その奥に位置する軸挿入穴２５まで押し込んで１回転させることによって検査が行われる。
【００４２】
偏心カム５０ｂは、浮動板１０（Ａ）に設けられた偏心カム挿入穴１１に挿入され、軸５０ｃは、ユニット背面板２１（Ａ）に設けられた軸挿入穴２５に挿入される。
【００４３】
偏心カム５０ｂの外周壁面と偏心カム挿入穴１１の内壁面との接触は、遊びなしでの接触挿入である。更に、軸５０ｃの外周壁面と軸挿入穴２５の内壁面との接触は、遊びなしでの接触挿入である。なお、軸５０ｃおよび偏心カム５０ｂそれぞれの断面形状は、真円である。
【００４４】
偏心カム５０ｂの偏心カム挿入穴１１への挿入に際し、浮動板１０（Ａ）を適宜、動かしながら挿入可能位置を求める。
【００４５】
この状態で、つまみ５０ａを回転（つまみ回転ｋ）させる。このつまみ回転ｋに伴い偏心カム５０ｂの外周壁面が偏心カム挿入穴１１の内面壁面との接触面を摺動し、浮動板１０（Ａ）を浮動ブッシュ２の浮動板側軸径ｂとブッシュ穴４の直径差分の所定距離（偏心カム軸芯ａａと軸芯ｂｂとの距離）だけ、円周面を移動（浮動板浮動ｎ）する。
【００４６】
即ち、浮動板１０（Ａ）の移動範囲は、軸芯ｂｂと偏心カム軸芯ａａとの軸芯間距離を移動距離とする上下左右を含む円周面上である。この円周面上の移動が検査範囲となり、浮動板浮動ｎが一回転できれば、浮動板の機能を合格とし、コネクタ検査器具５０（Ａ）の偏心カム挿入穴１１への挿入不可、挿入されても回転不可、または、浮動板浮動ｎが途中で回転停止するようであれば、浮動板の機能を不合格と判定する。
【００４７】
このコネクタ検査器具５０（Ａ）は、ステンレスなどの鋼材ブロックの削りだしによって容易に安価に製作できる。
【００４８】
本発明の実施形態とする第２の実施例として、図４に、浮動板の浮動量を定量的に測定する機構の概念を表すコネクタ検査器具５０（Ｂ）の２面図（イ）および、３面図（ロ）を示し、説明を行う。
【００４９】
図４（イ）において、コネクタ検査器具５０（Ｂ）の偏心カム５０ｂ’は、つまみ５０ａと同軸芯、同体の軸５０ｃの軸芯ｂｂに対して直角方向に浮動式とし、偏心カム浮動溝５０ｄの内接を軸５０ｃに対して左右にスライドする偏心カム浮動機構としている。この図は、偏心カム軸芯ａａと軸芯ｂｂが一致している例示であり、浮動板の浮動量を定量的に測定する基準値を与える位置関係である。
【００５０】
偏心カム５０ｂ’は、つまみ５０ａおよび偏心カム５０ｂ’にねじ止めされたバネ５０ｅ（板ばね）によって支えられ、バネ５０ｅには、バネ応力を検知する歪センサー５０ｆが取付けられている。
【００５１】
図４（ロ）において、コネクタ検査器具５０（Ｂ）の偏心カム５０ｂ’は、軸芯ｂｂに対して左方向にスライドした偏心状態を表している。即ち、偏心カム軸芯ａａと軸芯ｂｂが任意の距離を有する例示である。
【００５２】
このため、偏心カム５０ｂ’の浮動量が歪センサー５０ｆを介して、浮動量（偏心カム軸芯ａａと軸芯ｂｂとの距離）に応じた電気信号に変換され、図示されてはいないが、電気信号の信号処理により浮動量を定量的に測定することができる。
【００５３】
以上の説明は、左右方向の距離検知であるが、つまみ５０ａを回転させることによって、実施例１と同様に浮動板浮動ｎは円周面上の軌跡を辿り、円周面上の所望の位置における浮動量を定量的に測定することができる。また、これにより、浮動板の機能検査をすることができる。
【００５４】
本発明の実施形態とする第３の実施例として、図５に、1つの浮動板に対してコネクタ検査器具を２個用いた動作を表す斜視図を示し、説明を行う。
【００５５】
図５において、上側のコネクタ検査器具５０（Ａ）又は、５０（Ｂ）に有する偏心カムが浮動板１０（Ｂ）に有する偏心カム挿入穴１１ａに挿入され、および、同５０（Ａ）又は、５０（Ｂ）に有する軸がユニット背面板２１（Ｂ）に有する軸挿入穴２５ａに挿入される。
【００５６】
更に、下側のコネクタ検査器具５０（Ａ）又は、５０（Ｂ）に有する偏心カムが浮動板１０（Ｂ）に有する偏心カム挿入穴１１ｂに挿入され、および、同５０（Ａ）又は、５０（Ｂ）に有する軸がユニット背面板２１（Ｂ）に有する軸挿入穴２５ｂに挿入される。
【００５７】
図５において、上下のコネクタ検査器具５０（Ａ）又は、５０（Ｂ）の２つのつまみ５０ａを同時に、または、順次に回転させることによって、それぞれにつまみ回転ｋが与えられる。
【００５８】
これによって、上下同じ回転が起きるので、浮動板１０（Ｂ）の移動が、ユニット背面板２１（Ｂ）に対し、傾くことがなく、平行移動しながら浮動板の移動距離を円周面上の所定の軌跡（浮動板浮動ｎ）を辿るので、上側のコネクタ検査器具により、上側の浮動ブッシュに応じた浮動量検査、下側のコネクタ検査器具により、下側の浮動ブッシュに応じた浮動量検査が行える。また、これにより、浮動板の機能検査をすることができる。
【００５９】
この方式であれば、一部のコネクタ検査器具に許容範囲の加工誤差があり、これが経年磨耗などにより、偏心カムの径の形状に異常を来し、浮動板１０（Ｂ）の移動量を所定の距離だけ移動させることができなくなる場合でも、２つを交互に用いることによって、所定の浮動量検査が行われる。これで実際と異なる浮動量の計測となることが避けられる。
【００６０】
他方、浮動板１０（Ｂ）に有するブッシュ穴４の加工段階で穴径または穴位置が上下でアンバランスであった場合の異常検出も容易である。
【００６１】
このように、コネクタ検査器具が１個方式である前記第１および第２の実施例と比較して、検査精度の向上となる。
【００６２】
本発明の実施形態とする第４の実施例として、図６に、コネクタ検査器具を２個組み合わせて２個のカムを連動させる機構の概念を表す斜視図および、図７に、その動作を表す斜視図を示し、説明を行う。
【００６３】
図６において、コネクタ検査器具５０（Ｃ）は、つまみ５０ａと、このつまみ５０ａに一体化された第１の偏心カム５０ｂａおよび、第１の軸５０ｃａと、回転伝達歯車５０ｈを介して、つまみ５０ａの回転に連動して同期回転する第２の偏心カム５０ｂｂおよび、第２の軸５０ｃｂとにより構成されている。
【００６４】
図７において、第１の偏心カム５０ｂａが浮動板１０（Ｃ）に有する偏心カム挿入穴１１ａに挿入され、第１の軸５０ｃａがユニット背面板２１（Ｃ）に有する軸挿入穴２５ａに挿入され、第２の偏心カム５０ｂｂが偏心カム挿入穴１１ｂに挿入され、第２の軸５０ｃｂが軸挿入穴２５ｂに挿入され、つまみ５０ａを回転させることによって、つまみ回転ｋが与えられる。
【００６５】
これによって、第１の軸５０ｃａと第２の軸５０ｃｂとの連動した同期回転が行われるので、浮動板１０（Ｃ）の移動が、ユニット背面板２１（Ｃ）に対し、精度よく平行移動しながら浮動板１０（Ｃ）の移動距離を円周面上の所定の軌跡（浮動板浮動ｎ）を辿る。
【００６６】
この方式であれば、前記第３の実施例と同様に、一方の偏心カムの径の形状に許容範囲の加工誤差があり、これが経年磨耗などにより、偏心カムの径の形状に異常を来し、浮動板１０（Ｂ）の移動量を所定の距離だけ移動させることができなくなる場合でも、所定の浮動量検査が行われる。また、コネクタ検査器具５０（Ｃ）を上下を逆にして挿入して用いることによって、所定の浮動量検査が行われるようにしてもよい。これで実際と異なる浮動量の計測となることが避けられる。
【００６７】
従って、前記第１、第２および第３の実施例と比較して、浮動板の機能検査の精度がさらに向上する。
【産業上の利用可能性】
【００６８】
本発明は、コネクタ取付機構の検査業務に適用することができる。
【図面の簡単な説明】
【００６９】
【図１】本発明の第１の実施例であるコネクタ検査器具の動作を示す斜視図である。
【図２】本発明の第１の実施例であるコネクタ検査器具の斜視図である。
【図３】本発明の第１の実施例であるコネクタ検査器具を適用するユニットの背面斜視図および背面図である。
【図４】本発明の第２の実施例であり、浮動量を定量的に測定する機構を備えたコネクタ検査器具の２面図および３面図である。
【図５】本発明の第３の実施例であり、1つの浮動板に対してコネクタ検査器具を２個用いた動作を示す斜視図である。
【図６】本発明の第４の実施例であり、連動する２個のカムを有するコネクタ検査器具を示す斜視図である。
【図７】本発明の第４の実施例であり、連動する２個のカムを有するコネクタ検査器具を用いた動作を示す斜視図である。
【図８】コネクタ浮動構造の概念を示す斜視図である。
【図９】ユニットと棚板の嵌合前を示す正面斜視図である。
【図１０】ユニットと棚板の嵌合前、嵌合中、嵌合後を示す背面斜視図である。
【図１１】従来技術の手作動によるコネクタ浮動機構検査冶具の外観図である。
【符号の説明】
【００７０】
１、１０（Ａ）、１０（Ｂ）、１０（Ｃ）  浮動板
２  浮動ブッシュ
３  浮動ブッシュ取付けネジ
４  ブッシュ穴
５  ユニット側コネクタ
６  浮動板ガイドピン受け穴
７  浮動板コネクタ抜き穴
１１  偏心カム挿入穴（浮動板穴）
２０  ユニット
２１、２１（Ａ）、２１（Ｂ）、２１（Ｃ）  ユニット背面板
２２  ユニット背面板コネクタ抜き穴
２３  ユニット背面板ガイドピン貫通穴
２４  レール
２５  軸挿入穴（シャーシ穴）
３０  ユニット収容棚
３１  棚板コネクタ取付板
３２  ガイドピン
３３  棚板側コネクタ
３４  レールガイド
５０（Ａ）、５０（Ｂ）、５０（Ｃ）  コネクタ検査器具
５０ａ  つまみ
５０ｂ  偏心カム
５０ｃ  軸
５０ｄ  偏心カム浮動溝
５０ｅ  バネ
５０ｆ  歪センサー
５０ｇ  センサー出力ケーブル
５０ｈ  回転伝達歯車
６０  コネクタ検査装置 
６１  治具棚板
６１ａ  治具レールガイド
６２  スライダーブロック
６２ａ  治具コネクタ
６２ｂ  治具ガイドピン
６３  浮動量測定器
ａ  ブッシュ穴径
ｂ  浮動ブッシュ浮動板側軸径
ｃ  浮動板板厚
ｄ  浮動ブッシュ浮動板側軸高
ｅ  浮動ブッシュ棚板側側軸径
ａａ  偏心カム軸芯
ｂｂ  軸芯
ｋ  つまみ回転
ｎ  浮動板浮動
【図１】
2009283202.tif 000003
【図２】
2009283202.tif 000004
【図３】
2009283202.tif 000005
【図４】
2009283202.tif 000006
【図５】
2009283202.tif 000007
【図６】
2009283202.tif 000008
【図７】
2009283202.tif 000009
【図８】
2009283202.tif 000010
【図９】
2009283202.tif 000011
【図１０】
2009283202.tif 000012
【図１１】
2009283202.tif 000013